(57)【要約】【課題】浴室ユニットを設置する空間の寸法に応じてフロア面のサイズを調節できる浴室ユニット及びこれに用いられるフロア延長部材を提供する。【解決手段】浴室ユニット１は、主フロア部材２と、角柱形状をなし主フロア部材２の端部２ａ，２ｂに添設されるフロア延長部材３とを有する。フロア延長部材３は、長手方向に垂直な水平方向の一方の側面に設けられた凹部３１と、他方の側面に設けられ凹部３１に対応する凸部３２と、を備える。これにより、浴室ユニット１を設置する空間の寸法に応じてフロア面のサイズを調節することができる。【選択図】図１
2009185590.tif 000002
【特許請求の範囲】
【請求項１】
主フロア部材と、角柱形状をなし上記主フロア部材の端部に添設されるフロア延長部材と、を有することを特徴とする、浴室ユニット。
【請求項２】
前記フロア延長部材は、長手方向に垂直な水平方向の一方の側面から他方の側面へ貫通し、締結部材を受容する貫通穴を備えたことを特徴とする、請求項１に記載の浴室ユニット。
【請求項３】
前記フロア延長部材は、長手方向に垂直な水平方向の一方の側面に設けられた凹部と、他方の側面に設けられ、上記凹部に対応する凸部と、を備えたことを特徴とする、請求項１または２に記載の浴室ユニット。
【請求項４】
前記フロア延長部材は、長手方向に垂直な水平方向の一方の側面に長さ方向に沿って設けられたシール部材を有することを特徴とする、請求項１から３のいずれかに記載の浴室ユニット。
【請求項５】
浴室ユニットのフロアを延長するための部材であって、角柱形状をなし、長手方向に垂直な水平方向に連設されることで床面を形成することを特徴とする、フロア延長部材。
【発明の詳細な説明】
【技術分野】
【０００１】
本発明は浴室ユニットのフロアに係り、特に、浴室ユニットを設置する空間の寸法に応じてフロア面のサイズを調節できる浴室ユニット及びこれに用いられるフロア延長部材に関するものである。
【背景技術】
【０００２】
従来の一般的な浴室ユニットでは、図８に示すように、洗い場フロア１０１は浴槽フロア１０２と一体に構成されている。この種のフロア１００は、複数の既製サイズのものが準備されており、浴室ユニットを設置する空間（以下、設置空間という）の寸法に応じて適宜選択されている。したがって、一つのフロアでは、寸法の異なる設置空間に対応することができなかった。
【０００３】
そこで、寸法の異なる設置空間に対応して寸法調整を可能とした浴室装置が提案され、特許文献１及び２に開示されている。特許文献１の浴室装置は、複数の分割パンを備え、分割パン同士の重なる範囲を調節することで寸法の異なる設置空間に対応したフロアを構成している。また、特許文献２のスペース拡張型浴室は、浴室設置スペースが脱衣室との間の建築躯体の土台上の仕切りスペースまで延長され、この仕切りスペースを含んで形成されている。
【特許文献１】特開平９−３１６９５２号公報
【特許文献２】特開２００２−３６４１９４号公報
【発明の開示】
【発明が解決しようとする課題】
【０００４】
しかしながら、特許文献１の浴室装置は、フロアのベースを分割構成したものであり、各分割パン同士の重なる範囲を調節して設置しても、ベースの表面には分割パンの接合部の段差が残るという問題があった。また、特許文献２のスペース拡張型浴室は、カウンター部が外側へ延長する構造であり、フロア自体の面積調整構造については開示されていない。
【０００５】
本発明は、上記問題点に鑑みてなされたものであり、浴室ユニットを設置する空間の寸法に応じてフロア面のサイズを調節できる浴室ユニット及びこれに用いられるフロア延長部材を提供することを目的とする。
【課題を解決するための手段】
【０００６】
上記目的を達成するため、本発明の浴室ユニットは、主フロア部材と、角柱形状をなし主フロア部材の端部に添設されるフロア延長部材とを有することを特徴とする。
【０００７】
フロア延長部材は、長手方向に垂直な水平方向の一方の側面から他方の側面へ貫通し、締結部材を受容する貫通穴を備えることが望ましい。
【０００８】
また、フロア延長部材は、好ましくは、長手方向に垂直な水平方向の一方の側面に設けられた凹部と、他方の側面に設けられ、凹部に対応する凸部とを備える。
【０００９】
さらに、フロア延長部材は、長手方向に垂直な水平方向の一方の側面に長さ方向に沿って設けられたシール部材を有してもよい。
【００１０】
また、本発明のフロア延長部材は、浴室ユニットのフロアを延長するための部材であって角柱形状をなし、長手方向に垂直な水平方向に連設されることで床面を形成することを特徴とする。
【発明の効果】
【００１１】
本発明の浴室ユニットによれば、主フロア部材と、角柱形状をなし主フロア部材の端部に添設されるフロア延長部材とを有するから、フロア延長部材を主フロア部材の端部に添設することにより、浴室ユニットを設置する空間の寸法に応じてフロア面のサイズを調節することができる。
【００１２】
フロア延長部材が、長手方向に垂直な水平方向の一方の側面から他方の側面へ貫通する貫通穴を備える場合は、この貫通穴に締結部材を挿通することでフロア延長部材を主フロア部材の端部に確実に添設することができる。
【００１３】
フロア延長部材が、長手方向に垂直な水平方向の一方の側面に設けられた凹部と、他方の側面に設けられ、凹部に対応する凸部とを備える場合は、一のフロア延長部材の凸部が他のフロア延長部材の凹部に嵌合することにより、フロア延長部材同士を確実に位置合わせすることができる。
【００１４】
さらに、フロア延長部材は、長手方向に垂直な水平方向の一方の側面に長さ方向に沿って設けられたシール部材を有していれば、シール部材がフロア延長部材同士の隙間を遮断するため、水が通ることがない。
【００１５】
また、本発明のフロア延長部材によれば、角柱形状をなし、長手方向に垂直な水平方向に連設されることで床面を形成するから、浴室ユニットを設置する空間の寸法に応じてフロア面のサイズを調節することができる。
【発明を実施するための最良の形態】
【００１６】
[浴室ユニットの実施形態]
以下、本発明の好ましい実施の形態を、添付図面を参照しながら詳細に説明する。図１に、実施形態の浴室ユニットを示す。浴室ユニット１は、主フロア部材２と、角柱形状をなし主フロア部材２の端部に添設される複数のフロア延長部材３とを有する。主フロア部材２は、浴槽（図示省略）を載置するための浴槽フロア２１と洗い場フロア２２とからなり、この点において従来のフロア部材と同様である。
【００１７】
浴室の床面積がこの主フロア部材２の面積より広い場合には、主フロア部材２のみで床面積を満たすことはできない。そこで、図１に示すようにフロア延長部材３を、主フロア部材２の一端部２ａ及びこれに隣接する他の端部２ｂに添うように、適宜の本数を連設して設けることで、床面積を満たすことができる。この際、図１（Ａ）に示すように浴室の床面積が比較的広い場合と図１（Ｂ）に示すように浴室の床面積が比較的狭い場合とではフロア延長部材３の本数のみならず必要な長さも異なる。そのため、フロア延長部材３は規格に合わせて複数の長さのものを用意するか、必要に応じて切断して微調整する。
【００１８】
[フロア延長部材の第一の実施形態]
図２（Ａ）に示すように、第一の実施形態のフロア延長部材３は、略角柱形状をなし、長手方向に垂直な水平方向、すなわち幅方向の一方の側面に設けられた凹部３１と、他方の側面に設けられ、凹部３１に対応する凸部３２とを備える。凹部３１及び凸部３２は共にフロア延長部材３の長手方向に沿って設けられ、フロア延長部材３の一端から他端まで達している。すなわち、フロア延長部材３は、長手方向に垂直な面による断面形状が原則的に一定である。
【００１９】
同一形状のフロア延長部材３が幅方向に複数連結されることで、それらの上面がフロア面を構成する。この際、凸部３２が、隣接するフロア延長部材３の凹部３１に嵌合することで、フロア面が面一になる。このように連設されたフロア延長部材３同士の境目は、図２（Ｂ）に示すようにフロア延長部材３及び主フロア部材２により構成されるフロア面全体を加飾シート４で覆うことにより隠すことができる。
【００２０】
図３に示すように、フロア延長部材３は、幅の一方の側面、図において左側面から、他方の側面へ貫通し、ボルト５１を受容する貫通穴３３を備えている。また、主フロア部材２は、この貫通穴３３に対応し、締結部材であるボルト５１を受容する取付穴２３を備えている。この貫通穴３３及び取付穴２３にボルト５１を挿通し、ナット５２で締結することで、フロア延長部材３を主フロア部材２に固定することができる。なお、貫通穴３３及び取付穴２３は、上面からの距離が同一であるから、上面であるフロア面が面一となる。また、貫通穴３３及び取付穴２３は、フロア延長部材３の長手方向に適宜間隔をあけて複数備えられている。
【００２１】
[フロア延長部材の第二の実施形態]
図４は、第二の実施形態のフロア延長部材６を示す断面図である。図４（Ａ）に示すように、フロア延長部材６は、凹部６１及び凸部６２を備え、これらを含む基本的な構成においてフロア延長部材３と同様であるが、幅方向の一方の側面、図において左側面にシール部材６３を有する点でフロア延長部材３と異なる。シール部材６３は、フロア延長部材６の長さ方向に沿って、凹部６１と上面６ｓとの間に設けられる。
【００２２】
また、図において左側面における凹部６１と上面６ｓとの間には、シール部材６３を受容する窪み６４が備えられ、この窪み６４にシール部材６３が嵌合している。他方、図において右側面における凸部６２と上面６ｓとの間には、シール部材６３を受容する窪み６５が備えられている。
フロア延長部材６同士を連結する際には、図４（Ｂ）に示すように、凸部６２が、隣接するフロア延長部材３の凹部６１に嵌合すると共に、シール部材６３が窪み６４及び窪み６５に挟まれるように液密的に嵌合することで、フロア延長部材６同士の隙間を遮断するため、この隙間を水が通ることはない。なお、図４に示すように、最外端のフロア延長部材６にはシール部材６３がなくてもよい。
【００２３】
[フロア延長部材の第三の実施形態]
図５は第三の実施形態のフロア延長部材７を示す断面図である。フロア延長部材７は、凹部及び凸部を備えない角柱形状をなし、この点において第一の実施形態のフロア延長部材３及び第二実施形態のフロア延長部材６と異なる。
【００２４】
フロア延長部材７は、凹部及び凸部を備えないため、互いに係合することはできない。しかし、フロア延長部材７は、第一の実施形態のフロア延長部材３と同様、図において左側面から右側面へ貫通しボルト５１を受容する貫通穴７３を備えている。そのため、この貫通穴７３及び主フロア部材２の取付穴２３にボルト５１を挿通し、ナット５２で締結することで、フロア延長部材７を主フロア部材２に固定することができる。このフロア延長部材７は、製造が容易であるという利点がある。
【００２５】
[フロア延長部材の第四の実施形態]
図６は第四の実施形態のフロア延長部材８を示す断面図である。フロア延長部材８は、凹部８１及び凸部８２を備え、基本的な構成において第一実施形態のフロア延長部材３と同様であるが、凹部８１の上下幅が凸部８２の上下幅より多少広い点において第一の実施形態のフロア延長部材３と異なる。言い換えれば、フロア延長部材８同士が連結された場合、凹部８１は上下に若干の空間を介して凸部８２を受容する。また、上面８ｓは主フロア部材２の表面２ｓに設定された水勾配に合わせた勾配が備えられている。そのため、上面８ｓは側面に対して垂直でなく、水勾配を考慮して多少傾斜している。
【００２６】
このように構成されたフロア延長部材８は、連結時、相対的に上下に多少ずれる余地があるため、上面８ｓが斜めになるよう上下に適宜ずらして連結することで、上面８ｓを面一としつつ、主フロア部材２に合わせた水勾配を確保することができる。
【００２７】
[実施の形態の浴室ユニットの使用方法]
図７は、実施の形態の浴室ユニットにおいて、フロア延長部材３上に壁９を設置する方法を示す。なお、ここでは第一の実施形態のフロア延長部材３を例とするが、他の実施形態のフロア延長部材であっても同様である。また、図７では説明のため壁９における二点鎖線部を切り欠いて示す。
【００２８】
壁９は、下端に突出したボス９１が設けられている。フロア延長部材３上に壁９を設置する際は、フロア延長部材３にボス穴３４を穿設する。さらに、壁９とフロア延長部材３との隙間に水やゴミが入り込むことを防ぐと共に手入れのしやすさを確保するため、矢印Ａに示すようにフロア延長部材３上に乾式目地９２を載置し、この上に壁９を設置する。
【００２９】
乾式目地９２は軟質樹脂からなり、壁９の下端に接する平坦部９３と、壁９とフロア延長部材３との隙間を覆う表側シール部９４と、裏側シール部９５とを備え、壁９のボス９１を受容するボス穴９６が設けられている。この乾式目地９２を、ボス穴９６がボス穴３４と一致するようにフロア延長部材３に敷設し、この上に、ボス９１がボス穴９６及びボス穴３４に嵌入するよう壁９を設置することで、壁９をフロア延長部材３に位置決めしつつ設置すると共に壁９とフロア延長部材３との隙間を塞ぐことができる。
【００３０】
以上説明したように、本発明は、主フロア部材と角柱形状をなし主フロア部材の端部に添設されるフロア延長部材とを有することにより、浴室ユニットを設置する空間の寸法に応じてフロア面のサイズを調節できる浴室ユニットを提供するものであり、明細書や図面において説明した形状、寸法、個数に限らず、その主旨を逸脱しない範囲内において様々な形態で実施することができる。
【図面の簡単な説明】
【００３１】
【図１】本発明の実施形態の浴室ユニットを示す平面図であり、（Ａ）は浴室の床面積が比較的広い場合、（Ｂ）は浴室の床面積が比較的狭い場合を示す。
【図２】第一の実施形態のフロア延長部材を示す斜視図であり、（Ａ）はフロア延長部材の連設状態、（Ｂ）はこれを加飾シートで一部覆った状態を示す。
【図３】図２（Ａ）の状態における断面図である。
【図４】第二の実施形態のフロア延長部材を示す断面図である。
【図５】第三の実施形態のフロア延長部材を示す断面図である。
【図６】第四の実施形態のフロア延長部材を示す断面図である。
【図７】実施の形態の浴室ユニットの使用方法を示す斜視図である。
【図８】従来のシステムバスのフロアを示す斜視図である。
【符号の説明】
【００３２】
１      浴室ユニット
２      主フロア部材
２ａ，２ｂ    主フロア部材の一端部
２ｓ    主フロア部材の表面
３，６，７，８      フロア延長部材
４      加飾シート
６ｓ，８ｓ    フロア延長部材の上面
９      壁
２１    浴槽フロア
２２    洗い場フロア
２３    取付穴
３１，６１，８１    凹部
３２，６２，８２    凸部
３３，７３    貫通穴
３４，９６    ボス穴
５１    ボルト
５２    ナット
６３    シール部材
９１    ボス
９２    乾式目地
９３    平坦部
９４    表側シール部
９５    裏側シール部
【図８】
2009185590.tif 000003
【図１】
2009185590.tif 000004
【図２】
2009185590.tif 000005
【図３】
2009185590.tif 000006
【図４】
2009185590.tif 000007
【図５】
2009185590.tif 000008
【図６】
2009185590.tif 000009
【図７】
2009185590.tif 000010